(57)【要約】【課題】意匠性を高めながら屋外との遮蔽性を高めることが可能な建具を提供する。【解決手段】本発明の建具（１）は、建物の開口に取り付けられ、水平方向に延びる複数の溝部を有する枠部材（２）と、前記溝部内を摺動可能に設けられ、前記枠部材の室外側の外側溝部に設けられる外障子（３０）と、少なくとも一以上の内障子（３１）とを含む複数の障子と、前記枠部材の水平方向の端部に設けられ、少なくとも前記外障子を収容する戸袋（５）と、を備え、前記開口を前記複数の障子で塞いだ全閉状態において、前記外障子の戸尻框（７０）が前記戸袋内に収納され、前記全閉状態における前記内障子よりも室外側の前記枠部材に、前記外障子の走行を規制する規制部（６）が設けられていることを特徴とする。【選択図】図２
2018071312.tif 000002
【特許請求の範囲】
【請求項１】
建物の開口に取り付けられ、水平方向に延びる複数の溝部を有する枠部材と、
前記溝部内を摺動可能に設けられ、前記枠部材の屋外Ｏ側の外側溝部に設けられる外障子と、前記外障子よりも前記枠部材の室内側に設けられる少なくとも一以上の内障子とを含む複数の障子と、
前記枠部材の水平方向の端部に設けられ、少なくとも前記外障子を収容する戸袋と、
を備え、
前記開口を前記複数の障子で塞いだ全閉状態において、前記外障子の戸尻框が前記戸袋内に収納され、
前記全閉状態における前記内障子よりも屋外Ｏ側の前記枠部材に、前記外障子の走行を規制する規制部が設けられていることを特徴とする建具。
【請求項２】
前記規制部は、前記全閉状態時の前記外障子の戸先側の框よりも戸先側で前記戸先側の框と当接する位置で前記外側溝部に設けられている
請求項１に記載の建具。
【請求項３】
前記全閉状態において、前記外障子と前記外側溝部との間または前記外障子よりも室内側で前記規制部が前記枠部材に固定される
請求項１または請求項２に記載の建具。
【請求項４】
前記溝部を覆い、前記溝部に着脱可能に固定されたカバー部材をさらに備え、
前記規制部は前記カバー部材により覆われる
請求項１から請求項３のいずれか一項に記載の建具。
【請求項５】
前記溝部を覆い、前記溝部に着脱可能に固定されたカバー部材をさらに備え、
前記規制部は、前記カバー部材の端部と一体で形成されている
請求項１から請求項３のいずれか一項に記載の建具。
【請求項６】
前記カバー部材は、前記全閉状態において、前記外障子の召合わせ框と前記外側溝部との間または前記外障子よりも室内側の前記外側溝部に着脱可能に固定される請求項４または請求項５に記載の建具。
【請求項７】
前記内障子の少なくとも一つは錠が設けられた錠付内障子であり、
前記錠付内障子と、他の前記複数の障子との間にそれぞれ係止部が設けられ、前記外複数の障子は前記係止部で前記錠付内障子に係止されて、前記錠付内障子の前記開口を閉鎖する方向への移動に追従して移動可能に構成され、
前記全閉状態において、前記錠付内障子の施錠により全ての障子が移動不能となるように構成されている
請求項１から請求項６のいずれか一項に記載の建具。
【発明の詳細な説明】
【技術分野】
【０００１】
本発明は、構造物の開口部に設けられる建具に関する。
【背景技術】
【０００２】
従来、構造物の開口部に設けられる建具として、開口縁部に設けられる枠体内に、ガラスパネルを含む障子が納められた建具が知られている（例えば、特許文献１）。また、近年、視界を広く確保する目的で大きな開口部を設け、ガラス等の透明パネルを備える建具へのニーズが高まっている。このような建具では、框等が視界を遮らないような意匠の障子が求められている。このようなニーズに対し、例えば、特許文献２には、開口の見付方向の中央部に中心側ＦＩＸ部（固定窓）が設けられ、中心側ＦＩＸ部の見付け方向外側にスライド可能な障子が設けられ、さらに外側に配置された外側ＦＩＸ部と重複する位置に障子が収納される戸袋を備える建具が開示されている。
【先行技術文献】
【特許文献】
【０００３】
【特許文献１】特開２００５−１０５７１７号公報
【特許文献２】特開２０１６−１６０６３５号公報
【発明の概要】
【発明が解決しようとする課題】
【０００４】
スライド式の障子で大開口を覆う建具の場合、障子の可動性を考慮して複数の障子が連設されるため、障子の数に応じて戸袋の見込方向（奥行方向）の寸法が大きくなる。その結果、障子を収める戸袋の入口が大きく開放されるため、建物の内外の気密性、意匠性、埃やペット等の小動物の戸袋内への侵入等の点で課題となっていた。また、大開口に設ける建具において、視界を遮らないような意匠が求められる。しかし、大開口を得るために障子の数が増えると、各障子の框、ハンドル、錠等も増え、開口部の視界の妨げとなる。加えて、障子の数が増えることにより、障子の開閉時の操作動線が多くなる点が課題となっていた。
【０００５】
上記事情を踏まえ、本発明は、意匠性を高めながら屋外との遮蔽性を高めることが可能な建具を提供することを目的とする。
【課題を解決するための手段】
【０００６】
本発明に係る建具は、建物の開口に取り付けられ、水平方向に延びる複数の溝部を有する枠部材と、前記溝部内を摺動可能に設けられ、前記枠部材の室外側の外側溝部に設けられる外障子と、前記外障子よりも前記枠部材の室内側に設けられる少なくとも一以上の内障子とを含む複数の障子と、前記枠部材の水平方向の端部に設けられ、少なくとも前記外障子を収容する戸袋と、を備え、前記開口を前記複数の障子で塞いだ全閉状態において、前記外障子の戸尻框が前記戸袋内に収納され、前記全閉状態における前記内障子よりも室外側の前記枠部材に、前記外障子の走行を規制する規制部が設けられていることを特徴とする。
【０００７】
この発明によれば、外障子と内障子とからなる複数の障子で建物の開口を塞ぐ建具の全閉状態において、規制部により外障子の移動が規制されるので、外障子の戸尻框が戸袋内に収納された状態が保たれ、戸袋の室外側に隙間ができることを防ぎ、戸袋内に塵埃等が侵入することを効率良く抑制できる。また、外障子の規制部を枠部材の溝部内に設けることにより、外障子の規制部を目立たない場所に設けることができ、視野を妨げることなく、意匠性に優れた建具を提供可能となる。
【０００８】
本発明に係る建具は、前記規制部は、前記全閉状態時の前記外障子の戸先側の框よりも戸先側で前記戸先側の框と当接する位置で前記外側溝部に設けられていてもよい。
【０００９】
この発明によれば、全閉状態で外障子の戸先側への移動が規制されるので、外障子の戸尻框が戸袋の外部に出ることがなく、全閉状態時に、屋外と戸袋との間の遮蔽を保つことができる。
【００１０】
本発明に係る建具は、前記全閉状態において、前記外障子と前記外側溝部との間または前記外障子よりも室内側で前記規制部が前記枠部材に固定されてもよい。
【００１１】
この発明によれば、全閉状態では、規制部の枠部材への固定箇所が室外側に露出しないため、室外側から規制部の枠部材への固定を解除することができず、防犯性に優れた建具を提供できる。
【００１２】
本発明に係る建具は、前記溝部を覆うカバー部材をさらに備え、前記規制部は前記カバー部材により覆われてもよい。
【００１３】
この発明によれば、カバー部材により溝部内の凹凸が覆われるので建具の意匠性を高めることができる。また、規制部がカバー部材により覆われるので、全閉状態において規制部が溝部内に露出しないため、規制部を外部から取り外すことができず、防犯性を高めることができる。
【００１４】
本発明に係る建具は、前記溝部を覆い、前記溝部に着脱可能に固定されたカバー部材をさらに備え、前記規制部は、前記カバー部材の端部と一体で形成されていてもよい。
【００１５】
この発明によれば、カバー部材により溝部内の凹凸が覆われるので建具の意匠性を高めることができる。また、規制部がカバー部材の端部と一体で形成されているので、カバー部材を溝部に着脱可能に固定することにより併せて規制部を設けることができる。そのため、規制部の着脱作業が容易となり、メンテナンス性に優れた建具を提供できる。
【００１６】
本発明に係る建具では、前記カバー部材は、前記全閉状態において、前記外障子の召合わせ框と前記外側溝部との間または前記外障子よりも室内側の前記外側溝部に着脱可能に固定されてもよい。
【００１７】
この発明によれば、全閉状態では外部に露出しない位置でカバー部材が固定されるため、全閉状態で屋外からカバー部材を取り外すことができず、防犯性を高めることができる。一方、全閉状態を解除するとカバー部材を取り外すことができるので、障子交換等のメンテナンスも容易に行うことができる。
【００１８】
本発明に係る建具では、前記規制部は、前記全閉状態において、前記外障子の召合わせ框と前記外側溝部との間または前記外障子よりも室内側の前記外側溝部に着脱可能に固定されてもよい。
【００１９】
この発明によれば、全閉状態では外部に露出しない位置で規制部が固定されるため、全閉状態で外部からカバー部材を取り外すことができず、防犯性を高めることができる。一方、全閉状態を解除すると規制部を取り外すことができるので、障子交換等のメンテナンスも容易に行うことができる。
【００２０】
本発明に係る建具において、前記内障子の少なくとも一つは錠が設けられた錠付内障子であり、前記錠付内障子と、他の前記複数の障子との間にそれぞれ係止部が設けられ、前記外複数の障子は前記係止部で前記錠付内障子に係止されて、前記錠付内障子の前記開口を閉鎖する方向への移動に追従して移動可能に構成され、前記全閉状態において、前記錠付内障子の施錠により全ての障子が移動不能となるように構成されてもよい。
【００２１】
この発明によれば、錠を備える錠付内障子を設け、開口を閉鎖する方向に錠付内障子を移動させる操作に追従して他の障子が移動し、且つ、全閉状態では、外障子は移動が規制される。そのため、全閉状態では、錠付内障子が施錠されると、他の障子に錠を設けることなく全閉状態が保持される。したがって、錠付内障子の施錠操作や閉操作のみで他の障子を閉じることが可能となり、障子を閉じる操作が容易となる。また、他の障子に錠を設ける必要がないので、障子の軽量化や、框の寸法を抑えることが可能となり意匠性の向上にも寄与する。
【発明の効果】
【００２２】
本発明によれば、本発明は、意匠性を高めながら屋外との遮蔽性を高めることが可能な建具を提供できる。
【図面の簡単な説明】
【００２３】
【図１】本発明の一実施形態に係る建具の正面図である。
【図２】図１のＩＩ−ＩＩ断面図である。
【図３】図１のＩＩＩ−ＩＩＩ断面図である。
【図４】本発明の障子の錠の構成を示す模式図である。
【図５】本発明の一実施形態の下枠部分の構造を示す縦断面図である。
【図６】本発明の一実施形態に係る建具の規制部を示す斜視図である。
【図７】本発明の一実施形態のカバー部材の端部を示す斜視図である。
【図８】本発明の一実施形態に係る建具の変形例を示す模式図である。
【図９】本発明の一実施形態に係る建具の変形例を示す模式図である。
【発明を実施するための形態】
【００２４】
本発明の一実施形態に係る建具について説明する。本実施形態に係る建具１は、建物の壁体１００の開口１０１に、スライド可能な複数の障子（引き戸）３が設けられる建具１である。本実施形態では、４枚の障子３からなる建具１を例に説明する。図１は、本実施形態に係る建具１の正面図である。図２は、建具１の横断面図（図１のＩＩ−ＩＩ断面図）である。図３は、建具１の縦断面図（図１のＩＩＩ−ＩＩＩ断面図）である。
【００２５】
以後の説明では、建具１において、障子３の摺動方向であり、後述する枠部材２の上下枠２１，２２が延びる方向を見付方向ｘ（幅方向、水平方向）と称し、見付方向ｘに垂直且つ建物の内外方向を見込方向ｚ（奥行方向）と称する。また、複数の障子３が見付方向ｘに並んで建物の開口１０１が塞がれた状態を全閉状態と称する。また、障子３の見付方向ｘの両端について、戸袋５側の端部を戸尻と称し、戸尻と反対側の端部を戸先と称する。
【００２６】
図１及び図２に示すように、本実施形態に係る建具１は、枠部材２と、複数の障子３と、戸車ユニット４と、戸袋５と、規制部６とを備える。
【００２７】
枠部材２は、上枠２１と下枠２２及び左右の縦枠２８，２９を方形状に枠組みして構成されている。上枠２１及び下枠２２には、障子３の枚数に応じて、見付方向ｘに延びる複数の溝部２５，２６が形成されている。本実施形態では、４枚の障子３を備え、中央部の２枚の内障子３１の対向する縦框同士が当接する突合せ構造であるため、上枠２１及び下枠２２にはそれぞれ屋外Ｏ側に位置する外側溝部２５と、屋内Ｉ側に位置する内側溝部２６との２本の溝部が形成されている。
【００２８】
上枠２１及び下枠２２は型材からなり、図２及び図３に示すように、見込方向ｚにおける上枠２１及び下枠２２の両端（屋外Ｏ側及び屋内Ｉ側）において、見付方向ｘに平行に延びる２つの側壁部２５１，２６１と、２つの側壁部の間に平行に延びる仕切壁２５０とにより形成されている。外側溝部２５及び内側溝部２６の底部にはそれぞれ鉛直方向に僅かに突出し、上枠２１及び下枠２２の見付方向ｘに延びるレール２７が形成されている。
【００２９】
上枠２１には、屋内Ｉ側の下端から内側溝部２６の下縁部まで延びる内側下面２１２が形成されている。上枠２１の屋外Ｏ側の下端から、外側溝部２５の開口を一部覆うように屋内Ｉ側に延びる外側下面２１３が形成されている。内側下面２１２と外側下面２１３とは面一になるように形成されている。
【００３０】
下枠２２には、屋内Ｉ側の上端から内側溝部２６の上縁部まで延びる内側上面が形成されている。下枠２２の屋外Ｏ側の上端から外側溝部２５の開口を一部覆うように屋内Ｉ側に延びる外側上面が形成されている。内側上面と外側上面とは面一になるように形成されている。
【００３１】
戸袋５は、建物の開口１０１の見付方向ｘの両端部に壁体１００と間隔を空けてそれぞれ設けられている。各戸袋５は２枚の障子（外障子３０及び内障子３１）を収容可能な大きさを有し、障子３が出し入れ可能な入口５０を有する。
【００３２】
障子３は、上框３３及び下框３４と左右の縦框とを方形状に枠組みされた框体内にパネル３５が組み込まれて構成されている。パネル３５は透明な２枚のガラス板を見込方向ｚに並べた複層構造を有する。上框３３、下框３４及び左右の縦框には、それぞれパネル収容溝３６が形成され、公知の方法でパネル３５の四方の縁部が各パネル収容溝３６に収められて保持される。
【００３３】
図５は、下枠部分の構造を示す縦断面図である。図３及び図５に示すように、上框３３及び下框３４の各パネル収容溝３６は、上下方向に延びる一対のパネル支持壁３６１で形成されている。
【００３４】
下框３４の各パネル支持壁３６１の上端から見込方向ｚに延びる水平壁３６４が形成されている。下框３４のパネル収容溝３６の下方には戸車保持部３６２が形成されている。戸車保持部３６２は後述する戸車ユニット４との当接面を有する。戸車保持部３６２の見込方向ｚの寸法は、一対のパネル支持壁３６１の見込方向ｚの離間距離より小さく、戸車保持部３６２と各パネル支持壁３６１との間にはテーパ部３６３が形成されている。
【００３５】
障子３の縦框は内障子３１と外障子３０とで構成が異なる。図２に示すように、外障子３０の縦框は、見付方向ｘにおいて、戸袋５側に位置する戸尻框７０と、戸先側に位置し、全閉状態で内障子３１の戸尻框７０と見込方向ｚに重畳する召合わせ框７１とからなる。
【００３６】
外障子３０の戸尻框７０は、框本体７０１と遮蔽壁部７０２とが見込方向ｚに並んで形成されている。框本体７０１には、召合わせ框７１と対向する側にパネル収容溝３６が形成されている。
【００３７】
遮蔽壁部７０２は、框本体７０１の見込方向ｚに屋外Ｏ側に向かって延出して形成されている。遮蔽壁部７０２は内部に断面略長方形の中空部が高さ方向ｙの全長にわたって形成されている。框本体７０１と遮蔽壁部７０２とは、見付方向ｘの寸法が略等しい。框本体７０１及び遮蔽壁部７０２における戸袋５側の各面が見込面である。
【００３８】
図３に示すように、戸尻框７０の上下端部には、框本体７０１と遮蔽壁部７０２との間に上下方向に切り欠いた凹部（上側凹部７０３、下側凹部７０４）がそれぞれ形成されている。上側凹部７０３と下側凹部７０４とは、見込方向ｚの寸法が略等しく、上下方向の寸法は上側凹部７０３が下側凹部７０４よりも大きい。
【００３９】
遮蔽壁部７０２の上下端部には、上枠２１及び下枠２２の溝部の垂直断面形状に沿う形状を有し、且つ、可撓性を有する溝遮蔽部材７０７が設けられている。溝遮蔽部材７０７は、例えば、軟性樹脂製の薄板材からなる。溝遮蔽部材７０７は、遮蔽壁部７０２の見込面の上方及び下方に延設するように設けられている。
【００４０】
図２に示すように、召合わせ框７１は、断面長方形状の型材であり、框本体７１１と、外側延出部７１２と、係止部７１３とを有する。框本体７１１には、戸尻框７０と対向する側にパネル収容溝３６が形成されている。
外側延出部７１２は、断面略長方形を有し、長辺が見込方向ｚに屋外Ｏ側に向かって延びて形成されている。框本体７１１と外側延出部７１２とは、見付方向ｘの寸法が略等しく形成されている。
【００４１】
係止部７１３は、召合わせ框７１の屋内Ｉ側の見付面に水平断面形状が略Ｌ字型に形成されている。係止部７１３は、召合わせ框７１の戸先側の見込面から面一に延びた後、曲折して戸尻側に延びるように形成されている。係止部７１３は、内障子３１と外障子３０との召合わせ部分（対向部分）における隙間を遮る煙返しの機能を併せ持つ。
【００４２】
内障子３１の縦框は、戸尻側の召合わせ框７２と、戸先側の突合框７３とからなる。召合わせ框７２は、外障子３０の召合わせ框７１と見付方向ｘの寸法が略等しい断面長方形状の型材であり、突合框７３と対向する側にパネル収容溝３６が形成されている。
【００４３】
召合わせ框７２の屋内Ｉ側の見付面には、外障子３０の召合わせ框７１と同様の係止部７２３が形成されている。係止部７２３は、召合わせ框７２の屋外Ｏ側の見付面に水平断面形状が略Ｌ字型に形成されている。係止部７２３は、召合わせ框７２の戸尻側の見込面から面一に延びた後、曲折して戸先側に延びるように形成されている。
【００４４】
突合框７３は、一対の内障子３１が同じ溝部に収容された引き分け構造の引き戸において、内障子３１同士が当接する見込方向ｚの対向面を有する縦框である。突合框７３は、框本体７３１と、内側延出部７３２と、突合せ部７３３とを有する。突合框７３は、断面略長方形状の型材であり、召合わせ框７２と対向する側にパネル収容溝３６が形成されている。内側延出部７３２は、断面略長方形を有し、長辺が見込方向ｚに屋内Ｉ側に向かって延びて形成されている。框本体７３１と内側延出部７３２とは、見付方向ｘの寸法が略等しく形成されている。
【００４５】
内側延出部７３２は内障子３１の上下方向に延びて設けられており、内部に中空部を有する。突合框７３の戸先側の見込面のうち、パネル収容溝３６の反対側の位置には、戸先側に向かって突出する突合せ部７３３が形成されている。突合せ部７３３は突合框７３の高さ方向ｙの全長に亘って形成されている。
【００４６】
図４は、障子３に設けられるクレセント錠９（錠）の構成を示す模式図である。図２及び図４に示すように、突合框７３には、クレセント錠９が設けられている。
クレセント錠９は、ハンドル９０と、ハンドル支持部９１と、ハンドル支持部９１の上下方向に延びて設けられる上下シャフト９２，９３と、各シャフト９２，９３の上端あるいは下端に設けられるアジャスタ９４,９５とを備える。上下シャフト９２，９３はハンドル支持部９１においてハンドル９０と接続されている。アジャスタ９４,９５は、略Ｌ字形状の部材であり、水平部９７と、水平部９７と直交する方向に延びる軸部９８とを備える。水平部９７に上下シャフト９２，９３との固定部９９を有し、軸部９８と上下シャフトとは平行である。軸部９８は固定部９９よりも見込方向ｚに外側に位置する。
【００４７】
図３及び図５に示すように、戸車ユニット４は、戸車枠４０と、戸車本体４１とを備える。戸車枠４０は、障子３の見付方向ｘの寸法よりやや短い寸法で形成されている。戸車枠４０は、戸車収納部４０１と、補助支持部４０２と、障子載置部４０３と、テーパ部４０４とを備える。戸車収納部４０１は、垂直断面において、略矩形の中空部を有し、戸車本体４１が収納可能な大きさを有する。戸車収納部４０１は、戸車枠４０の見付方向ｘの全長に亘って形成されており、戸車本体４１が配置される位置の底面には、戸車本体４１の寸法に応じた開口（不図示）が形成されている。戸車収納部４０１の見込方向ｚの両端の側壁の下方には、戸車収納部４０１の底面よりも下方に延びる補助支持部４０２がそれぞれ形成されている。図５に示すように、戸車の下端よりも高い位置に補助支持部４０２の下端が位置する。
【００４８】
戸車収納部４０１の上方には水平面を備える溝状の障子載置部４０３が形成されている。障子載置部４０３の見込方向ｚ両端の側壁は、戸車収納部４０１の側壁と面一に上方に延びて形成されている。障子載置部４０３の側壁の上端には、見込方向ｚに互いに離間するように傾斜したテーパ部４０４が形成されている。
【００４９】
戸車本体４１は、２つの公知の戸車が見付方向ｘに並んで保持されている。本実施形態では、一つの戸車ユニット４に３つの戸車本体４１が設けられる。このため、戸車収納部４０１の下面には３つの開口が形成される。戸車収納部４０１内に戸車本体４１が収納されると、戸車本体４１は戸車枠４０に対する位置が固定された状態で保持される。
【００５０】
図６は、規制部が建具に設けられた状態を示す斜視図である。規制部６は外障子３０の走行を規制する部材である。図６に示すように、規制部６は、Ｌ字型部材６０に樹脂製の緩衝材６１が固定されている。規制部６は、枠部材２との固定部６２がＬ字型部材６０に形成されている。
【００５１】
図７はカバー部材の端部を示す斜視図である。カバー部材８は、枠部材２の溝部を覆う部材である。図７に示すように、カバー部材８は、枠部材２の溝部を覆うカバー板８０と、枠部材２の溝部に挿入される一対の挿入部８１と、枠部材２の溝部の開口縁部に係止される溝係止部８５と、枠部材２との固定部８３とを備える。
【００５２】
カバー板８０は、見込方向ｚの寸法が枠部材２の溝部の寸法と略等しい。カバー板８０の見付方向ｘの寸法は、全閉状態における外障子３０同士の離間距離に基づき設定されている。一対の挿入部８１は、カバー板８０の一面側において、それぞれカバー板８０と直交し且つ互いに平行となるように立設されている。一対の挿入部８１はカバー板８０の見付方向ｘの寸法と略等しい。一対の挿入部８１の上下方向の高さは、枠部材２の溝部の深さに応じて設定されている。一対の挿入部８１のうちの一方には、高さ方向ｙの端部が他方の挿入部８１側に曲折してカバー板８０と平行に延びる底部当接部８４が形成されている。溝係止部は、カバー板８０の見込方向ｚの一端部と、他端部側の挿入部８１の外側面に形成されている。固定部８３は、底部当接部８４の見付方向ｘの両端部が延出して形成されている。
【００５３】
上記枠部材２（上枠２１、下枠２２、縦枠２８，２９）、各框、戸車枠４０及びカバー部材８は、それぞれアルミニウムの押し出し成型材からなる。
【００５４】
次に、建具１の構造について説明する。
図１に示すように、４枚の障子は枠部材２内を摺動する引き戸であり、全閉状態で、両端部の２枚が、枠部材２の屋外Ｏ側の溝部に配設される外障子３０であり、中央部の２枚が外障子３０よりも屋内Ｉ側に設けられた内障子３１である。図２に示すように、建具１は見付方向Ａの中央部を中心に対称に構成されている。
【００５５】
建物の開口１０１に枠部材２が取付けられている。開口１０１の上縁部には上枠２１が固定され、下縁部には下枠２２が固定されている。図３に示すように、下枠２２の上端は、屋内Ｉ外の床面と面一となるように配置されている。上下枠２１，２２の左右端部には縦枠２８，２９が設けられている。なお、本実施形態では、建物の屋内外床面が面一となる例であるが、屋内外の床面の高さが異なる場合は、少なくとも屋内Ｉ側の床面と面一となるように下枠２２が設けられれば意匠性及び動線の観点で好ましい。
【００５６】
上枠２１の屋内Ｉ側には、開口１０１の上縁部から下方に延びる目隠し壁１０３が設けられている。上枠２１の下端は目隠し壁１０３の下端と面一となるように設けられている。
【００５７】
戸袋５は、上枠２１及び下枠２２の見付方向ｘの両端部に設けられている。戸袋５は、建物の壁体１００から屋内Ｉ側に離間して戸袋壁５１が取付けられて構成されている。
上枠２１及び下枠２２の見付方向ｘの両端部は戸袋５内まで延設されている。建枠２８，２９は戸袋５内に収容されている。図２に示すように、戸袋５の入口５０には、屋外Ｏ側に外方立２３が設けられ、屋内Ｉ側に内方立２４が設けられている。外方立２３は壁体１００に固定されている。内方立２４は上枠２１及び下枠２２に固定されている。外方立２３及び内方立２４はアルミニウム型材からなる長尺部材である。
【００５８】
図２に示すように、２枚の外障子３０は、上枠２１及び下枠２２の外側溝部２５内に配置され、２枚の内障子３１は上枠２１及び下枠２２の内側溝部２６内に配置されている。
【００５９】
外障子３０及び内障子３１は、下框３４と下枠２２の溝部との間に戸車ユニット４が配設される。戸車ユニット４は、障子３を取り付ける前に、予め下枠２２の溝部２５,２６内に配置される。具体的には、３つの戸車本体４１を下枠２２の溝部２５，２６のレール２７上に配置する。その後、上方から戸車枠４０の補助支持部４０２を下に向けて溝部内に挿入する。戸車収納部４０１の開口内に戸車本体４１を挿入して、溝部２５，２６内にて戸車ユニット４が組み立てられる。次に、障子の下框３４を障子載置部４０３に配置する。このとき、補助支持部４０２により、戸車ユニット４が傾いて倒れることが防止される。また、下框３４が戸車枠４０のテーパ部４０４にガイドされて障子載置部４０３に円滑に載置される。戸車枠４０のテーパ部４０４と下框３４のテーパ部３６３とが当接し、障子３が戸車ユニット４上に容易に位置決めされる。戸車ユニット４上に障子３が載置されると、障子３の自重により障子３と戸車本体４１との位置関係が保持され、障子３は溝部内２５，２６を摺動可能な状態となる。
【００６０】
下框３４及び上框３３は、屋内Ｉ側から視認されないようにするため、枠部材２の上下溝部内に収められている。図３に示すように、建物の床面と、下枠２２の上面と、障子の下框３４の上面とは面一になるように構成されている。したがって、下框３４は下枠２２よりも上方に突出せず、開口１０１を遮らない構成となっている。
【００６１】
４枚の障子３は、図２に示す全閉状態から戸袋５に収納される全開状態まで溝部内を移動可能である。全閉状態時は、同じ溝部に配置された２枚の内障子３１の突合框７３の突合せ部７２３同士が当接し、内障子３１及び外障子３０の召合わせ框７１が係止部７１３，７２３側で当接し、外障子３０の戸尻框７０は、戸袋５の入口５０の外方立２３と内側方立２４との間に位置する。
【００６２】
戸尻框７０の見込方向ｚの寸法は、外方立２３と内方立２４との離間距離よりわずかに短い。外方立２３と、この外方立２３に対向する戸尻框７０の見付面との間には外側シール材７０５が設けられている。外側シール材７０５は、建物の内外の気密性を保つために設けられており、全閉状態で、外方立２３と戸尻框７０の見付面との間は隙間が生じないように塞がれる。
【００６３】
内方立２４と、この内方立２４に対向する戸尻框７０の見付面との間には内側シール材７０６が設けられている。建物の内外の気密性は外側シール材７０５で確保されているので、内側シール材７０６は、屋内Ｉから戸袋５内への塵埃の侵入を防ぐ程度に隙間が塞がればよい。
【００６４】
外側シール材７０５及び内側シール材７０６は、戸尻框７０の上下方向に沿って設けられている。本実施形態では、外側シール材７０５及び内側シール材７０６は外方立２３及び内方立２４に固定されているが戸尻框７０の見付面に取り付けられていてもよい。外側シール材７０５は、例えば、軟性樹脂製の帯状部材、ブラシ等が挙げられる。
【００６５】
図３に示すように、戸尻框７０の遮蔽壁部７０２の上下端部は、上枠２１及び下枠２２の内側溝部２６内に位置する。さらに、溝遮蔽部材７０７が内側溝部２６の縦断面形状に沿って配置されている。したがって、遮蔽壁部７０２の上下端部及び溝遮蔽部材７０７により、内側溝部２６の隙間が塞がれる。しかし、溝遮蔽部材７０７は、内側溝部２６からわずかに離間しているので、外障子３０の摺動を妨げない。
【００６６】
戸尻框７０の凹部７０３，７０４内に枠部の仕切壁２５０が進入した状態で配置されている。上枠２１の仕切壁２５０の下端と上側凹部７０３の下端（凹部の底）との間の隙間は、下枠２２の仕切壁２５０の上端と下側凹部７０４の上端（凹部の底）との間の隙間より十分に大きい。
【００６７】
図６に示すように、規制部６は、全閉状態で外障子３０の召合わせ框７１の戸先側の見込面が緩衝材６１に当接する位置において、外側溝部２５にネジ止めされている。規制部６はねじ止めされているので、着脱可能である。なお、規制部６は外側溝部２５に着脱可能に固定されていればよく、固定方法はネジに限定されず、粘着剤による固定や、係合、嵌合、圧着構造等による固定方法を採用してもよい。
【００６８】
上枠２１及び下枠２２の外側溝部２５のうち、全閉状態で屋外Ｏに露出する部分には、カバー部材８が設けられて覆われている。カバー部材８は、全閉状態における２つの外障子３０の召合わせ框７１の見付面間の外側溝部２５が覆われるように配置されている。したがって、規制部６はカバー部材８に覆われて外部から視認できず、且つ屋外Ｏ側から取り外すことができなくなる。
【００６９】
カバー部材８の固定部８３は、外側溝部２５と外障子３０との間でねじにより枠部材２に固定されている。カバー部材８は、外障子３０の少なくとも一部が戸袋５内に収容された位置にある状態で、外側溝部２５内の所定の位置にねじで着脱可能に固定される。その後、全閉状態となると、カバー部材８の固定部８３は外障子３０に覆われて屋外Ｏ側には露出しない。
【００７０】
この他、固定部が全閉状態時の外障子３０の召合わせ框７１よりも戸尻側に位置する程度の寸法を有するように構成すれば、全閉状態で屋内Ｉ側に固定部が露出する。このように構成すると、全閉状態で屋内Ｉ側において、カバー部材８の固定を解除できる。
【００７１】
４枚の障子３は、最も開放された全開状態から、使用者がハンドル９０を把持して内障子３１を見付方向ｘの中央部（戸先側）に移動させると、やがて外障子３０と内障子３１との召合わせ框７１，７２間の係止部７１３，７２３が係止し、外障子３０も内障子３１と一緒に戸先側に移動する。外障子３０と内障子３１の召合わせ框７１，７２間の係止構造は、戸先側への移動時は外障子３０が追従するが、内障子３１の戸尻方向（開放方向）への移動には追従しないように構成されている。したがって、一対の内障子３１が突き当たるまで移動させた状態で、使用者が外障子３０を戸先側に動かすと、外障子３０は上記係止関係が解除されて戸先側に移動可能となり、建物の開口１０１が外障子３０の部分のみ開放可能となる。しかし、本実施形態に係る建具１では、上述の位置に規制部６及びカバー部材８が設けられているため、全閉状態では、外障子３０は規制部６に当接するため、戸先側への移動が規制される。したがって、建具１は、ハンドル９０を把持して内障子３１を戸先側へ移動させる動作のみで全閉状態にでき、且つ、全閉状態が保たれる。
【００７２】
さらに、内障子３１（錠付内障子）にクレセント錠９が設けられているので、全閉状態で施錠可能である。全閉状態で施錠を行う場合、内障子３１に設けられている各ハンドル９０を回転操作することにより内障子３１が上枠２１及び下枠２２に固定されて施錠される。
すなわち、ハンドル９０の回転操作に応じて、クレセント錠９の公知の機構により上下シャフト９２，９３が突合框７３の内側延出部７３２内でそれぞれ軸方向（高さ方向ｙ）に移動する。具体的には、ハンドル支持部９１よりも下側且つパネルに近接配置されているハンドル９０を見込方向ｚに屋内Ｉへ向けて９０度回転させると、上シャフト９２は下側に移動し、下シャフト９３は上側に移動する。一方、ハンドル９０を下側且つパネル３５に近付けるように９０度回転させると、上シャフト９２は上側に移動し、下シャフト９３は下側に移動する。上下シャフト９２，９３は内側溝部２６よりも屋内Ｉ側において上下移動するが、アジャスタ９４,９５の軸部９８は、上下シャフト９２，９３よりも屋外Ｏ側の内側溝部２６で上下シャフト９２，９３に対して平行に移動する。このため、内側溝部２６よりも屋内Ｉ側に突出した位置にあるハンドル９０を操作することにより、軸部９８が内側溝部２６内の錠ロック部（不図示）と係合あるいは係合解除されるように構成されている。
【００７３】
一方、４枚の障子３を開放するときは、使用者がハンドル９０を把持して内障子３１を戸尻方向へ移動させると、係止部７１３，７２３の係止が解除されて、内障子３１のみが移動する。その後、内障子３１の召合わせ框７２が外障子３０の遮蔽壁部７０２に当接し、外障子３０も戸尻側に押されて戸袋５内に収納される。外障子３０のパネル３５が戸袋５０内に収納されると、外障子３０の召合わせ框７１の外側延出部７１２が外方立２３に当接し、これ以上戸尻方向に移動できなくなる。この状態で障子３が全開状態となり、且つ、戸袋５の奥まで障子が入り込むことを防ぐことができる。
【００７４】
本実施形態に係る建具によれば、外障子３０と内障子３１とからなる複数の障子３で建物の開口を塞ぐ建具の全閉状態において、規制部６により外障子３０の移動が規制されるので、外障子３０の戸尻框７０が戸袋５内に収納された状態が保たれ、戸袋５の室外Ｏ側に隙間ができることを防ぎ、戸袋５内に塵埃等が侵入することを効率良く抑制できる。また、外障子３０の規制部６を枠部材２の溝部内に設けることにより、外障子の規制部６を目立たない場所に設けることができ、視野を妨げることなく、意匠性に優れた建具を提供できる。
【００７５】
本実施形態に係る建具によれば、全閉状態では、規制部６の外側溝部２５への固定箇所が屋外Ｏ側に露出しないため、屋外Ｏ側から規制部６の枠部材２への固定を解除することができず、防犯性に優れた建具１を提供できる。
【００７６】
また、規制部６が溝部に着脱可能に固定されているので、規制部６を溝部から取り外すことができ、建具のメンテナンス時等、障子３を取り外す際には外障子３０の摺動可能範囲を広げることができる。
【００７７】
本実施形態に係る建具によれば、カバー部材８により溝部内の凹凸が覆われて建具の意匠性を高めることができる。また、カバー部材８により規制部６が覆われるので、全閉状態において規制部６が溝部内に露出しないため、規制部６を外部から取り外すことができず、防犯性を高めることができる。
【００７８】
本実施形態に係る建具によれば、カバー部材８により溝部が覆われることにより、溝部の凹凸が覆われて建具の意匠性を高めることができる。また、規制部６がカバー部材８の端部と一体で形成されているので、カバー部材８を溝部に着脱可能に固定することにより併せて規制部６を設けることができる。そのため、規制部６の着脱作業が容易となり、メンテナンス性に優れた建具を提供できる。
【００７９】
本実施形態に係る建具によれば、全閉状態では外部に露出しない位置でカバー部材８が固定されるため、全閉状態で外部からカバー部材８を取り外すことができず、防犯性を高めることができる。一方、全閉状態を解除するとカバー部材８を取り外すことができるので、障子交換等のメンテナンスも容易に行うことができる。
【００８０】
本実施形態に係る建具によれば、全閉状態では外部に露出しない位置で規制部６が固定されるため、全閉状態で外部からカバー部材８を取り外すことができず、防犯性を高めることができる。一方、全閉状態を解除すると規制部６を取り外すことができるので、障子交換等のメンテナンスも容易に行うことができる。
【００８１】
本実施形態に係る建具によれば、内障子３１に錠を設け、開口を閉鎖する方向に内障子３１を移動させる操作に追従して外障子３０が移動し、且つ、全閉状態では、外障子３０は移動が規制される。そのため、全閉状態では外障子３０は、内障子３１と係止し且つ規制部６により移動が規制された状態で保持されるので、外障子に錠を設けることなく全閉状態が保持される。したがって、内障子３１の施錠操作や開閉操作のみで外障子３０の開閉を連動して行うことが可能となり、障子３の開閉操作が容易となる。また、外障子３０に錠を設ける必要がないので、外障子３０の軽量化や、框の寸法を抑えることが可能となり意匠性の向上にも寄与する。
【００８２】
上記実施形態に係る建具によれば、上枠２１の仕切壁２５０の下端と上側凹部７０３の下端との間の隙間は、下枠２２の仕切壁２５０の上端と下側凹部７０４の上端との間の隙間より十分に大きい。このため、外障子３０は、内側溝部２６を塞ぐような溝遮蔽部材７０７を備えていても、枠部材２に対して所定量上下方向に動かすことができる。本実施形態に係る建具は、下框３４が溝部内に隠れる程度で障子３が溝部内に収められている。このような構成であっても、上側凹部７０３の底が上枠２１の仕切壁２５０の下端に当接するまで障子３を上方に持ち上げると、下枠２２の仕切壁２５０が下側凹部７０４から外れて、障子３の下部を見込方向ｚに動かして、枠部材２から障子３を取り外すことができる（倹飩式）。そのため、遮蔽性及び意匠性を高めながら、メンテナンス時は、障子３を取り外す作業が容易に行える。
【００８３】
以上、本発明の実施形態について図面を参照して詳述したが、具体的な構成はこの実施形態に限られるものではなく、本発明の要旨を逸脱しない範囲の設計変更等も含まれる。
また、上述の各実施形態及び各変形例において示した構成要素は適宜に組み合わせて構成することが可能である。
【００８４】
本実施形態に係る建具１では、召合わせ框７１,７２が係止部７１３，７２３に係止される例を示したが、全閉時に戸袋の入口を外側で遮蔽するという目的において、係止部は必須ではない。例えば、外障子の戸尻框に引手部分を一体成型し、外障子を戸先側に移動する操作が可能な構成としてもよい。同様に、全閉時に戸袋の入口を外側で遮蔽するという目的において、内障子３１に錠を設ける構成も必須ではない。
【００８５】
本実施形態に係る建具１では、係止部７１３，７２３が召合わせ框７１,７２の高さ方向ｙの全長に延びるように設けられる例を示した。しかし、内障子３１と外障子３０とを係止させる目的においては、係止部は高さ方向ｙの一部に設けられれば足りる。一方、係止部が高さ方向ｙの一部に設けられると、全閉状態では召合縦框間に隙間が生じるので、気密性あるいは防風性等の観点から、係止部は召合縦框の高さ方向に延びるように形成することがより好ましい。
【００８６】
本実施形態では、４枚の障子３からなる建具の例を示したが、本発明は、障子３の枚数は４枚に限定されるものではなく、見付方向ｘに左右対称の障子を設ける場合は、６枚、８枚等偶数枚の障子を設ける構成であってもよい。この場合、外障子とは、建具の見込方向ｚの最も屋外Ｏ側に位置する障子を指し、外障子よりも屋内Ｉ側に位置する障子を内障子と称する。
【００８７】
例えば、図８に模式的に示す建具１Ａのように、６枚の障子３が見込方向ｚの左右に対称に配置される建具１Ａの場合、上枠及び下枠２２Ａにはそれぞれ３つの溝部が形成され、最も外側の外側溝部２５に外障子３０が配置され、見込方向ｚの中央の第１内側溝部２６１に第１内障子３１１が配置され、最も内側の第２内側溝部２６２に第２内障子３１２が配置される。このとき、第２内障子３１２のみに錠が設けられ、第１内障子３１１及び外障子３０はそれぞれ見付方向ｘに隣り合う障子同士の召合わせ框７１，７２０Ａ，７２１Ａ，７２２Ａに係止部が設けられて、上記実施形態と同様に連動する構成である場合、規制部６は、少なくとも外側溝部２５に設ければよい。すなわち、外障子は規制部６により移動が規制され、且つ、第１内障子３１１は第２内障子３１２及び外障子３０との係止構造により移動が規制される。このような構成とすることにより、複数の内障子３１１，３１２が設けられる場合でも、各障子３に錠を設ける必要がない。そのため、各障子３の軽量化や框の寸法を抑えることができ、意匠性を高めることができる。さらに、第２内障子３１２の動作に連動して外障子３０及び第１内障子３１１を移動させることができるので、複数の障子３の開閉操作が容易となる。
【００８８】
また、上記実施形態では、見付方向ｘに左右対称の構成の障子３が設けられる例を挙げたが、本発明に係る建具は、障子が見付方向ｘに左右対称に配置される構成に限定されない。例えば、図９に示す建具１Ｂのように、戸袋５が一つ設けられ、複数の障子が一つの戸袋５に収納される構成であってもよい。また、隣り合う障子の召合わせ框間に係止部を設けない場合、外側溝部２５及び中央の第１内側溝部２６１にそれぞれカバー部材８及びまたは規制部６を設けることにより、全閉状態を保持することができる。
【００８９】
また、図８に示す変形例では、カバー部材８が外側溝部２５のみに設けられる例を挙げたが、カバー部材８を設ける位置は外側溝部２５のみに限定されない。例えば、図９に示すように、上枠２１及び下枠２２に３つ以上の溝部が形成され、３枚の障子が設けられる場合、カバー部材８及びまたは規制部６を外側溝部２５と中央の第１内側溝部２６０に設ける構成としてもよい。カバー部材８を各溝部に設けることにより、溝部が覆われて意匠性を向上させることができる。また、召合わせ框間に係止部を設ける構成は必須ではない。そのため、召合わせ框間に係止部を設けない場合、全閉状態で屋外Ｏ側に露出する溝部にそれぞれカバー部材８を設けることにより、外障子３０及び第１内障子３１１が戸袋５と離れる方向（図９に示す矢印Ａ方向）へ移動することが規制される。
【００９０】
上記実施形態では、規制部６及びカバー部材８を設ける例を挙げたが、規制部６及びカバー部材８の構成はこれに限定されない。例えば、規制部６のみを設けてもよい。この場合、規制部６の枠部材２への固定位置を、全閉状態において、外障子３０と溝部との間または外障子３０よりも屋内Ｉ側とすればよい。この結果、全閉状態では、規制部６の緩衝材６１は外部に露出するが、固定部は屋外Ｏ側に露出しないので、屋外Ｏ側から規制部６の枠部材２への固定を解除することができず、防犯効果を得ることができる。
【００９１】
この他、規制部とカバー部材とを一体に形成してもよい。例えば、上記実施形態のカバー部材のみでも、カバー板が外障子の移動を規制可能であるため、規制部を設けない構成であってもよい。あるいは、規制部をカバー部材に固定し、カバー部材を溝部に固定する構成としてもよい。これらの構成の場合、カバー部材が溝部を覆って意匠性を高める機能と、規制部の機能とを兼ね備え、且つ、カバー部材のみを溝部に着脱可能に固定すればよいため、より簡易な構成で、規制部の効果が得られる。
【００９２】
上記実施形態では、規制部６及びカバー部材８を上枠２１及び下枠２２の両方に設ける例を挙げたが、規制部やカバー部材は、上枠と下枠との少なくとも一方に設ければよい。
【００９３】
本実施形態では、戸袋５の入口５０の屋内外に内方立及び外方立を設ける構成としたが、本発明において内方立及び外方立は必須の構成ではない。例えば、内方立を設けない構成や、内方立に代えて、開口部における屋内側の壁体の端部が屋外側に向かって見込方向に延びる延出部を設ける構成であってもよい。
【００９４】
遮蔽壁部７０２は戸袋５の入口５０を塞ぐ構成であればよく、戸尻框の見付面の全面が入口５０に対向する必要はない。例えば、外方立、内方立、あるいは入口５０の縁部に対して、遮蔽壁部の見込面の一部が対向していればよい。
【００９５】
外側シール材７０５は、戸袋５の入口５０とこの入口５０に対向する框本体７０１の見付面との間に配置される構成であればよく、外側シール材７０５が固定される位置は、框本体７０１や、戸袋５の見付面でもよい。
【００９６】
本実施形態では、建具の見込方向の一方を屋内側、他方を屋外側と称したが、本発明に係る建具の設置箇所は、建物の屋内外を仕切る開口に限定されるものではなく、屋内の部屋の間を仕切る建具としても使用可能である。
【００９７】
本実施形態では、１枚の内障子３１と外障子とが対となる構成であるため、外障子の召合縦框は１つである。しかし、１枚の外障子に２枚以上の内障子が設けられる場合、中間部に配置される内障子は、両方の縦框がそれぞれ召合縦框となる。
【００９８】
本実施形態では、外障子の召合わせ框に内側延出部を備える構成を例示したが、内側延出部は必須の構成ではない。例えば、戸袋５内に、外障子の移動終端を決める外障子受けを設けることにより、外障子が所定量以上戸袋５内に進入することを防ぐ構成であってもよい。
【００９９】
規制部６は、カバー部材８の端部と一体で形成されている。つまり、カバー部材が規制部として機能してもよい。
【符号の説明】
【０１００】
１，１Ａ，１Ｂ  建具
２  枠部材
３  障子
５  戸袋
６  規制部
８  カバー部材
２５  外側溝部
２６  内側溝部
３０  外障子
３１  内障子
７０  戸尻框
７１  召合わせ框
２５０  仕切壁
７１３，７２３    係止部
７０１  框本体
７０２  遮蔽壁部
７０３，７０４  凹部
７０７  溝遮蔽部材
【図１】
2018071312.tif 000003
【図２】
2018071312.tif 000004
【図３】
2018071312.tif 000005
【図４】
2018071312.tif 000006
【図５】
2018071312.tif 000007
【図６】
2018071312.tif 000008
【図７】
2018071312.tif 000009
【図８】
2018071312.tif 000010
【図９】
2018071312.tif 000011